(57)【要約】  本発明は、特に乗用車または二輪車等の車両内の少なくとも一つのモバイル端末の利用システムであって、前記少なくとも一つのモバイル端末と、車内に配置される表示装置と、車内に備えられる操作装置と、前記車両と前記モバイル端末間の通信用インタフェースとを有しているシステムに関する。車両内のモバイル端末の改良型利用システムを提供するために、前記車両内に、車内に位置するモバイル端末を検出する第１のソフトウェア統合装置を備え、および／または、前記モバイル端末の内部に、付近に位置する車両を検出する第２のソフトウェア統合装置を備えることが提案される。前記モバイル端末に現存するソフトウェア・アプリケーションが確認される。ソフトウェア統合アプリケーションのダウンロードが、車内および／または車外のダウンロード装置から通信用接続手段を介して実施され、前記モバイル端末に現存するソフトウェア・アプリケーションが、前記ダウンロードされたソウトウェア統合アプリケーションにより、前記車両内に配置される表示装置および前記車両内に備えられる操作装置を使用した前記車両内での利用のために提供される。【特許請求の範囲】
【請求項１】
特に乗用車や二輪車等の自動車両内の少なくとも一つのモバイル端末を利用するシステムであって、前記少なくとも一つのモバイル端末と、車内に配置される表示装置と、車内に備えられる操作装置と、前記自動車両と前記モバイル端末間の通信用インタフェースとを有している、システムにおいて、
‐前記自動車両内に、車内に位置するモバイル端末を検出する第１のソフトウェア統合装置が備えられ、および／または、前記モバイル端末の内部に、付近に位置する自動車両を検出する第２のソフトウェア統合装置が備えられ、
‐前記モバイル端末に現存するソフトウェア・アプリケーションが確認され、
‐ソフトウェア統合アプリケーションのダウンロードが、車内および／または車外のダウンロード装置から通信用接続手段を介して実施され、
‐前記モバイル端末に現存するソフトウェア・アプリケーションが、前記ダウンロードされたソフトウェア統合アプリケーションにより、前記自動車両内に配置される表示装置および前記自動車両内に備えられる操作装置を使用した前記自動車両内での利用のために、提供される
ことを特徴とする、システム。
【請求項２】
請求項１に記載のシステムにおいて、
前記モバイル端末が、携帯電話、ＰＤＡすなわちパーソナル・デジタル・アシスタント、ノートブック、またはその他のモバイル・コンピュータ、たとえば特にモバイル・エンターテインメント装置であることを特徴とする、システム。
【請求項３】
請求項１または２に記載のシステムにおいて、
前記モバイル端末が、インターネット・プロトコル（ＩＰ）を介して、前記第１および／または端末統合装置と通信することを特徴とする、システム。
【請求項４】
請求項１〜３のいずれか一項に記載のシステムにおいて、
前記モバイル端末に現存するソフトウェア・アプリケーションは、車両の運転者が、本システムをそのために手動によりおよび／または音による許可により許可した場合に初めて確認されること、その際、前記許可工程が、前記車内に配置される表示装置を使用して、および／または前記車内に備えられる操作装置を使用して行われることを特徴とする、システム。
【請求項５】
請求項１〜４のいずれか一項に記載のシステムにおいて、
前記車内ダウンロード装置が、前記自動車両内にあるデータメモリ、たとえば特に光学的データメモリ、好ましくはＤＶＤ、または半導体メモリであることを特徴とする、システム。
【請求項６】
請求項１〜５のいずれか一項に記載のシステムにおいて、
前記車外ダウンロード装置が、該当児童車両のメーカにより、または前記メーカの委託により運営されることを特徴とする、システム。
【請求項７】
請求項１〜６のいずれか一項に記載のシステムにおいて、
前記ソフトウェア統合装置により、前記ソフトウェア統合アプリケーションの車内および／または車外ダウンロードがもたらされる、または制御されることを特徴とする、システム。
【請求項８】
請求項１〜７のいずれか一項に記載のシステムにおいて、
ダウンロードすることができるソフトウェア統合アプリケーションが確認されること、および／または、前記モバイル端末に、どのソフトウェア統合アプリケーションをダウンロードすることができるかが記憶されること、
場合により前記モバイル端末により、この情報が運転者のＰＣまたはノートブックに転送され、前記ＰＣまたはノートブックが、前記車両の外部で、好ましくは前記自動車両の運転者の家庭内環境において、特にインターネット接続、たとえばブロードバンド・インターネット接続により、前記ソフトウェア統合アプリケーションをいずれかの車外ダウンロード装置からダウンロードして前記モバイル端末に転送すること、および、
その後で前記モバイル端末により、前記ソフトウェア統合アプリケーションが前記自動車両内で提供されることを特徴とする、システム。
【請求項９】
請求項１〜８のいずれか一項に記載のシステムにおいて、
前記ダウンロードされたソフトウェア統合アプリケーションが、全てまたは部分的に、前記モバイル端末に記憶および／またはインストールされること、それにより前記ソフトウェア・アプリケーションが、前記自動車両内に配置される表示装置および前記自動車両内に備えられる操作装置を使用して、前記自動車両内で利用可能な状態となることを特徴とする、システム。
【請求項１０】
請求項１〜９のいずれか一項に記載のシステムにおいて、
前記ダウンロードされたソフトウェア統合アプリケーションが、全てまたは部分的に、前記ソフトウェア統合装置に記憶および／またはインストールされること、それにより前記ソフトウェア・アプリケーションが、前記自動車両内に配置される表示装置および前記自動車両内に備えられる操作装置を使用して、前記自動車両内で利用可能な状態となることを特徴とする、システム。
【請求項１１】
請求項１〜１０のいずれか一項に記載のシステムにおいて、
前記ソフトウェア統合装置に、および／またはモバイル端末に、前記車内に配置される表示装置を動作させるための第１のドライバーソフト、および／または、前記車内に備えられる操作装置を動作させるための第２のドライバーソフトが、記憶および／またはインストールされることを特徴とする、システム。
【請求項１２】
請求項１〜１１のいずれか一項に記載のシステムにおいて、
前記ソフトウェア統合装置が、明確な識別情報、および／または明確なインターネット・アドレス若しくは明確なＩＰアドレスを有することを特徴とする、システム。
【請求項１３】
請求項１〜１２のいずれか一項に記載のシステムにおいて、
前記ソフトウェア統合装置が、前記ソフトウェア統合装置に備えられるソフトウエァ統合ドライバーソフトにより、全体または一部を制御されること、その際、前記ソフトウェア統合装置が、好ましくは、前記ソフトウェア統合装置に記憶および／またはインストールされているソフトウェアが、最新のソフトウェアにより交換可能ないしはアップデート可能であるように、構成されることを特徴とする、システム。
【請求項１４】
請求項１〜１３のいずれか一項に記載のシステムにおいて、
前記ソフトウェア統合装置に記憶および／またはインストールされているソフトウェア・アプリケーションが、前記車内ダウンロード装置を介して、および／または前記車外ダウンロード装置を介して、および／または前記モバイル端末に記憶されたソフトウェアを介して、アップデートされることを特徴とする、システム。
【発明の詳細な説明】
【技術分野】
【０００１】
本発明は、請求項１の上位概念（所謂おいて部分、プリアンブル部分）に係る、車両内の少なくとも一つのモバイル端末の利用システムに関する。
【背景技術】
【０００２】
ブルートゥース短距離無線通信システムを介して車両と通信して、車両のフリートーク装置を介して通話が行われるようにする携帯電話を使用することが知られている。車両のいわゆる「モバイル統合ユニット」は、この携帯電話の電話番号にアクセスして、これを車両のディスプレイに表示できるようにする。車両のマン・マシン・インタフェースの操作装置により、携帯電話に記憶されたダイヤルアップ番号を選択することができる。車内に組み付けられたディスプレイのメニュー構成およびメニューガイドは、車内にあるシーケンスコントローラないしはプログラムコントローラにより決定される。
【発明の開示】
【発明が解決しようとする課題】
【０００３】
本発明の課題は、車両内のモバイル端末の改良型利用システムを提供することにある。
【課題を解決するための手段】
【０００４】
この課題は、請求項１に記載の各特徴により解決される。有利な展開構成例は、従属請求項の対象となっている。
【発明を実施するための最良の形態】
【０００５】
本発明においては、車両内および／またはモバイル端末の内部に、車内に位置するモバイル端末を検出するソフトウェア統合装置が備えられる、および／または、モバイル端末の内部に、付近に位置する車両を検出する第２のソフトウェア統合装置が備えられるようになっている。モバイル端末に現存するソフトウェア・アプリケーションが確認される。ソフトウェア統合アプリケーションが、通信用接続手段を介して、車内および／または車外のダウンロード装置からダウンロードされる。モバイル端末に現存するソフトウェア・アプリケーションは、ダウンロードされたソウトウェア統合アプリケーションにより、車両内に配置される表示装置および車両内に備えられる操作装置を使用した車両内での利用のために提供される。
【０００６】
本発明にしたがった第１ならびに第２のソフトウェア統合装置、および本発明にしたがったソウトウェア統合アプリケーションにより、モバイル端末およびそのソウトウェアアプリケーションのほぼ自動的な結合が可能となるために、これらを人間工学的に車両内に存在する操作装置および車両内に備えられる表示装置を介して車内で利用することが可能となる。
【０００７】
本発明の構成例において、このモバイル端末は、携帯電話、ＰＤＡすなわちパーソナル・デジタル・アシスタント、ノートブック、またはその他のモバイル・コンピュータ、たとえば特にモバイル・エンターテインメント装置となっている。
【０００８】
本発明の好ましい構成例においては、モバイル端末が、インターネット・プロトコル（ＩＰ）を介して、本発明にしたがった端末統合装置と通信するようになっている。
本発明の別の構成例においては、モバイル端末に現存するソフトウェア・アプリケーションが、車両の運転者が本発明にしたがったシステムをそのために手動により、および／または音による許可により許可した場合に初めて、確認されるようになっている。この許可工程は、車内に配置される表示装置を使用して、および／または車内に備えられる操作装置を使用して行われることが好ましい。
【０００９】
本発明の別の構成例において、車内ダウンロード装置は、車両内にあるデータメモリ、たとえば特に光学的データメモリ、好ましくはＤＶＤ、または半導体メモリである。それにより相応の読取り装置を使用して、大量のデータを簡単かつ低コストで車両内に移動して、複数のモバイル端末および／または複数のソフトウェア・アプリケーションのための適切なソフトウェア統合アプリケーションを提供することが可能となる。
【００１０】
本発明の実施形態の一例においては、車外ダウンロード装置が、当該車両のメーカにより、またはメーカの委託により運営されるようになっている。それにより、互換性がある、および／または、車両の安全性を脅かさない、それに加えてさらに常時最新状態にある、ソフトウェア統合アプリケーションだけが転送されることを保証することができる。
【００１１】
本発明の展開構成例においては、ソフトウェア統合装置により、ソフトウェア統合アプリケーションの車内および／または車外ダウンロードがもたらされる、または制御されるようになっている。ソフトウェア統合装置が車内に組み付けられるという好ましい対策とともに、車両の安全性を脅かす怖れのある、車載エレクトロニクスのソフトウェアおよび／またはハードウェアの不正操作に対する高度なセキュリティが達成される。
【００１２】
本発明の別の実施形態においては、ダウンロードすることができるソフトウェア統合アプリケーションが確認されるようになっている。あるいはその代わりに、またはそれに補足して、モバイル端末に、どのソフトウェア統合アプリケーションをダウンロードすることができるかが記憶されるようになっている。この情報は、モバイル端末により、運転者のＰＣまたはノートブックに転送されると好適である。ＰＣまたはノートブックが、ソフトウェア統合アプリケーションを車外ダウンロード装置からダウンロードして、これをモバイル端末に転送すると、このソフトウェア統合アプリケーションが車両内でモバイル端末により提供される。ＰＣまたはノートブックは車両の外部、好ましくは車両の運転者の家庭内環境にあり、ダウンロードは、インターネット接続、たとえば特にブロードバンド・インターネット接続を介して行われる。当然ながらモバイル端末は、適切なデータ接続手段、特にブロードバンド・インターネット接続が車両により提供されているのであれば、車両から直接ダウンロードを実行することも可能である。同様にモバイル端末は、運転者の家庭内環境においても、そこに端末へのダウンロードのための適切なデータ接続手段、特にブロードバンド・データ接続手段が提供されているのであれば、ダウンロードを実行することも可能である。
【００１３】
本発明の別の実施形態においては、ダウンロードされたソフトウェア統合アプリケーションが全てまたは部分的に、モバイル端末に記憶および／またはインストールされるようになっている。それによりソフトウェア・アプリケーションが、本発明にしたがって、車両内に配置される表示装置および車両内に備えられる操作装置を使用して、車両内で利用可能な状態となるようにしている。
【００１４】
本発明の代替または補足実施例においては、ダウンロードされたソウトウェア統合アプリケーションが全てまたは部分的に、ソフトウェア統合装置に記憶および／またはインストールされるようになっている。これによりソフトウェア・アプリケーションが、車両内に配置される表示装置および車両内に備えられる操作装置を使用して、車両内で利用可能な状態となるようにしている。
【００１５】
本発明の別の実施形態においては、ソフトウェア統合装置に、および／またはモバイル端末に、車内に配置される表示装置を動作させるための第１のドライバーソフトが記憶および／またはインストールされている。あるいはその代わりに、またはそれに補足して、この実施形態においては、車内に備えられる操作装置を動作させるための第２のドライバーソフトが記憶および／またはインストールされている。この対策により、特にモバイル端末にインストールされたソフトウェア・アプリケーションの車両への「結合」が容易になる。
【００１６】
本発明の別の構成例においては、ソフトウェア統合装置が、明確な識別情報、および／または明確なインターネット・アドレスないしは明確なＩＰアドレスを有している。これにより、ソフトウェア統合装置を明確に決定することができる、および／または、インターネットを介して、ソフトウェア統合装置にアクセスする、ないしはソフトウェア統合装置が応答することができる。それにより特に、車内および／またはソフトウェア統合装置の内部に記憶ないしはインストールされているソフトウェアの、点検または修理の目的でのアップデートが可能となる。
【００１７】
本発明の展開構成例においては、ソフトウェア統合装置が、ソフトウェア統合装置に備えられるソフトウエァ統合装置ドライバーソフトにより、全体または一部を制御されるようになっている。ソフトウェア統合装置は、ソフトウェア統合装置に記憶および／またはインストールされているソフトウェアが、最新のソフトウェアにより交換可能ないしはアップデート可能であるように、構成されることが好ましい。本発明にしたがったソフトウェア統合装置ドライバーソフトにより、特に遠距離通信用接続手段を介しての、たとえば特にインターネット接続を介しての、外部からの車両へのアクセスの管理が可能となる。特にこれにより車両とインターネット間にファイヤウォールを構築することが可能となる。
【００１８】
本発明のさらに別の実施形態においては、ソフトウェア統合装置に記憶および／またはインストールされているソフトウェア・アプリケーションが、車内ダウンロード装置を介して、および／または車外ダウンロード装置を介して、および／またはモバイル端末に記憶されているソフトウェアを介して、アップデートされるようになっている。これによりモバイル端末に記憶されているソフトウェアによって、ダウンロードを時間制御方式および／またはイベント制御方式でアップデートすることが可能となる。たとえば、使用に供されているソフトウェア・アップデートに関する情報が車内に伝送されるようにして、これをモバイル端末および／またはソフトウェア統合装置により、この情報が提示される時間であるとよい所定の時間に、車外ダウンロード装置からダウンロードされるようにするとよい。ほかにもソフトウェア・アプリケーションにより、アップデートに先立ち、アクセス許可検査、および／または、アップデートのために用意されているソフトウェアの認証検査が実行されるようにするとよい。
【国際調査報告】
2008523744.tif 000002
2008523744.tif 000003
2008523744.tif 000004
2008523744.tif 000005
2008523744.tif 000006
2008523744.tif 000007